(57)【要約】【課題】  大型コンクリート型枠を安全に搬送することができ、しかも簡易に使用することのできる大型コンクリート型枠移動用台車を提供すること。【解決手段】  独立した１以上の上部ユニットと１以上の下部ユニットの組み合わせからなる移動用台車であって、上部ユニットは、大型コンクリート型枠の上端部に載置され、該型枠の上端部に被せる断面コ字形の取付け枠と、この取付け枠のいずれか一方の外側部に突設した上下一対のローラ支持板と、この上下ローラ支持板間に転動可能に軸支された複数の壁面ローラとからなり、下部ユニットは、前記大型コンクリート型枠の下端を載置して用いられ、断面Ｈ形の保持枠と、この保持枠のいずれか一方の外側部に突設した上下一対のローラ支持板と、この上下ローラ支持板間に転動可能に軸支された複数の壁面ローラ、および前記保持枠の下側空間部内で、常に地面に接して転動可能に軸支された複数の移動用ローラとからなる。【選択図】図１
2007083935.tif 000002
【特許請求の範囲】
【請求項１】
大型コンクリート型枠を、この型枠側面に対向する縦壁に沿って移動させるための移動用台車であって、この台車は、独立した１以上の上部ユニットと１以上の下部ユニットの組み合わせからなり、
該上部ユニットは、大型コンクリート型枠の上端部に載置して用いられ、それは、該型枠の上端部に被せる断面コ字形の取付け枠と、この取付け枠のいずれか一方の外側部に突設した上下一対のローラ支持板と、この上下ローラ支持板間に転動可能に軸支された複数の壁面ローラとからなるものであり、
該下部ユニットは、このユニット上に前記大型コンクリート型枠の下端を載置して用いられ、それは、断面Ｈ形の保持枠と、この保持枠のいずれか一方の外側部に突設した上下一対のローラ支持板と、この上下ローラ支持板間に転動可能に軸支された複数の壁面ローラ、および前記保持枠の下側空間部内で、常に地面に接して転動可能に軸支された複数の移動用ローラとからなるものであることを特徴とする大型コンクリート型枠移動用台車。
【請求項２】
前記上部ユニットおよび下部ユニットの長さが、それぞれ200〜500mmであることを特徴とする請求項１に記載の大型コンクリート型枠移動用台車。
【請求項３】
前記上部ユニットおよび下部ユニットは、大型コンクリート型枠上端および下端に２〜４m毎に配置されることを特徴とする請求項１または２に記載の大型コンクリート型枠移動用台車。
【請求項４】
前記下部ユニットは、そのいずれか少なくとも一方の端部に、牽引用ロープ掛けループ金具が設けられていることを特徴とする請求項１〜３のいずれか１項に記載の大型コンクリート型枠移動用台車。
【発明の詳細な説明】
【技術分野】
【０００１】
この発明は、建築用または土木用のコンクリート壁、柱、土台などの構築に際して用いられる大型コンクリート型枠を、最終工程の作業として、設置位置に向けて短い路地を正確に移動させるための大型コンクリート型枠移動用台車に関するものである。
【０００２】
なお、この明細書において、コンクリート型枠とは、規格化された方形板状の一対のパネルだけでなく、そのパネル同士を繋ぐ金具（セパレータ等）、パネルの外側に配設する横バタ材や縦バタ材、パネルを垂直に支えるための支柱、筋交い、これらを繋ぐ金具などというように多くの構成部品からなるものを言う。
【０００３】
大型コンクリート型枠は、製作工場や施工現場において、パネル組立用架台を使って複数のパネルを並列、あるいは縦横に並べ、それを横バタ材、縦バタ材で繋いで形成される。こうして得られた大型コンクリート型枠は、まず施工現場に運び込まれたのち所定の位置に移動され、そして、さらに正規の設置位置までの短い距離を移動させるために用いられる短距離移動用台車に関するものである。本発明は、とくに、この大型コンクリート型枠を、トンネル内等の狭隘な場所において、しかも壁面に隣接するような狭い場所でも安全確実にかつ、正確に移動させることのできる移動用台車に関するものである。
【背景技術】
【０００４】
大型のコンクリート型枠を、所定の場所に移動させるための機器としては、従来、専用の移動用台車を利用する方法があり、特許文献１には、回転方向が直交する向きの主ローラと補助ローラによって、縦横方向に移動できるようにした大型コンクリート型枠の移動用台車が開示されている。
【０００５】
【特許文献１】特開２００５−１６１９６２号公報
【発明の開示】
【発明が解決しようとする課題】
【０００６】
しかしながら、特許文献１に記載の台車は、大型コンクリート型枠を、台車に設けられた背もたれ部に立て掛けた状態（傾斜状態）で搬送するものであり、作業現場のように床面に凹凸があったり、様々なゴミが散乱して平坦でない場所では、搬送中にコンクリート型枠が台車から擦り落ちたり、転倒したりする虞れがあった。さらに、この従来技術は、大型コンクリート型枠を傾斜状態で支えながら移動させる台車であるため、台車自体が大型となり、狭い場所などでは使用することができないし、さらには、少しの距離を正確に動かすことができないという問題があった。
【０００７】
そこで、本発明の目的は、作業現場等において大型コンクリート型枠を安全にかつ、正確に移動させることができ、しかも小型のユニット化した台車を使うことによって、狭い場所等の様々な状況によく対応することのできる大型コンクリート型枠移動用台車を提供することにある。
【課題を解決するための手段】
【０００８】
本発明は、従来技術が抱えている上述した問題を克服するために開発されたものであって、その構成の要旨は、
大型コンクリート型枠を、この型枠側面に対向する縦壁に沿って移動させるための移動用台車であって、この台車は、独立した１以上の上部ユニットと１以上の下部ユニットの組み合わせからなり、
該上部ユニットは、大型コンクリート型枠の上端部に載置して用いられ、それは、該型枠の上端部に被せる断面コ字形の取付け枠と、この取付け枠のいずれか一方の外側部に突設した上下一対のローラ支持板と、この上下ローラ支持板間に転動可能に軸支された複数の壁面ローラとからなるものであり、
該下部ユニットは、このユニット上に前記大型コンクリート型枠の下端を載置して用いられ、それは、断面Ｈ形の保持枠と、この保持枠のいずれか一方の外側部に突設した上下一対のローラ支持板と、この上下ローラ支持板間に転動可能に軸支された複数の壁面ローラ、および前記保持枠の下側空間部内で、常に地面に接して転動可能に軸支された複数の移動用ローラとからなるものであることを特徴とする大型コンクリート型枠移動用台車である。
【０００９】
なお、本発明は、前記上部ユニットおよび下部ユニットの長さが、それぞれ200〜500mmであること、前記上部ユニットおよび下部ユニットは、大型コンクリート型枠上端および下端に２〜４m毎に配置されること、および前記下部ユニットは、そのいずれか少なくとも一方の端部に、牽引用ロープ掛けループ金具が設けられていることが好ましい。
【発明の効果】
【００１０】
本発明の大型コンクリート型枠移動用台車は、独立した２種の台車（上部ユニットと下部ユニット）とを組み物として使う点に特徴があり、とくに大型コンクリート型枠を下部ユニットの上に載せて上部ユニットとの間に垂直状態に立設すると共に、複数の上部ユニットおよび下部ユニットのペアで使えば、安定支持できる。即ち、作業現場のような地面に凸凹があり、しかも狭い場所でも、搬送中に該大型コンクリート型枠が台車から擦り落ちたり、転倒するようなことがなく、所定の位置まで安全に、しかも正確に移動させることができる。さらに、上部ユニットと下部ユニットは、それぞれ200〜500mmと小型であるため、この台車自体を使用する場所まで簡易に運搬することができる。さらにまた、本発明の台車を使う場合、上部ユニットおよび下部ユニットには、その外側部や下部に、縦壁あるいは地面に沿って転動可能に軸支された移動用ローラが複数設けられているため、大型のコンクリート型枠のような重量の嵩むものを、人力で容易に移動させることができる。
【発明を実施するための最良の形態】
【００１１】
以下、図面に示す本発明の一実施形態について説明する。
大型コンクリート型枠移動用台車１は、図１に示すように、上部ユニット２と下部ユニット３とを組みとして使用する台車である。この台車は、大型コンクリート型枠Ｐを、複数個の下部ユニット３の上に載せて移動可能に支持すると同時に、この型枠Ｐ頂部には、上部ユニット２を組み付けた状態とする。このとき、該型枠Ｐは、下部ユニット３と上部ユニット２の間に垂直状態で立設させる。なお、上部ユニット２に設けた上部壁面ローラ６と下部ユニット３に設けた下部壁面ローラ１０は、コンクリート型枠Ｐの側面に対して同じ側に設けてもよいし、違う側に設けてもよい。
【００１２】
本発明にかかる移動用台車１は、大型のコンクリート型枠Ｐを施工壁面に隣接して移動させるような狭い場所で用いる際に好適であり、上部ユニット２と下部ユニット３のそれぞれに設けられた前記壁面ローラ６、１０が、隣接する施工壁面に接して転動しながら移動することにより、大型コンクリート型枠Ｐが横転するようなことがなく、しかも小さい力で人力にても容易に移動させることができる。
【００１３】
なお、上部ユニット２と下部ユニット３の長さは、それぞれ200〜500mm程度とすることが好ましい。それは、これらのユニットの大きさが200mmより小さいと、3〜10mもあるような大型の型枠Ｐを安定して支えることができず、型枠が横転する可能性がある。一方、その大きさが、500ｍｍより大きいと、台車自体の重量が嵩むため、台車を使用する場所まで容易に運搬することができないためである。
なお、各ユニット２、３の大きさは、載置する大型コンクリート型枠Ｐの大きさによって決定される。
【００１４】
また、上部ユニット２と下部ユニット３はそれぞれ、コンクリート型枠Ｐに対して２〜４ｍ毎（例えば、１０ｍのコンクリート型枠Ｐに対して３個程度）に設置することが好ましい。これは、形状が大きく重量も嵩む大型のコンクリート型枠Ｐを、上記の小型の上部・下部ユニットで支えるのに必要な数であり、また、施工環境によってその適数を決定して使用に供する。なお、上部ユニット２と下部ユニット３の設置は同じ部位の上下でなくてもよく、またその使用数も異なってもよい。
【００１５】
次に、上部ユニット２と下部ユニット３の構造について説明する。
図１および図２に示したように、上部ユニット２は、断面コ字形の取付け枠４と、この取付け枠４のいずれか一方の外側部に突設した一対のローラ支持板５ａ、５ｂおよび上部壁面ローラ６からなり、上部壁面ローラ６は、ローラ支持板５ａ、５ｂ間に、大型コンクリート型枠Ｐ側面に対向する施工面（縦壁）に沿って転動可能に軸支される。
【００１６】
この上部ユニット２は、その断面コ字形の取付け枠４が、大型コンクリートパネルＰの上端部に被さるようにして載置するだけでもよいが、好ましくは、締付けネジ等の治具によって大型コンクリート型枠に固定する。
【００１７】
また、上部ユニットの上部壁面ローラ６は、コ字形の取付け枠４に対して100mm間隔で複数個設置することが好ましい。これは、形状が大きく重量も嵩む大型コンクリート型枠Ｐを、上記の小型の上部・下部ユニット２、３で支えるのに必要な数であり、施工環境によってその適数を決定して使用する。また、下部壁面ローラ10の径はφ40〜60mm程度とし、施工環境やコンクリート型枠のサイズ等によって適宜決定して使用する。
【００１８】
次に、下部ユニット３は、図１および図３に示したように断面Ｈ形の保持枠７と、該保持枠７の下側空間部内に転動可能に支持された移動用ローラ９、前記保持枠７の外側部に突設したローラ支持板８ａ、８ｂおよび該ローラ支持板８ａ、８ｂ間に設けられた下部壁面ローラ１０からなり、前記移動用ローラ９は、常に地面上を転動するように設け、前記下部壁面ローラ１０は、大型コンクリート型枠Ｐ側面に対向する施工面（縦壁）に沿って転動可能に設ける。
【００１９】
大型コンクリート型枠Ｐを下部ユニット３上に設置する方法としては、例えば、ジャッキアップにより型枠Ｐの下端を持ち上げて、その隙間に下部ユニット３を挿入することにより行う。なお、大型コンクリート型枠Ｐは、締付けネジ等の治具によって下部ユニット３上に固定することがより好ましい。
【００２０】
また、移動用ローラ９と下部壁面ローラ10は、Ｈ形の保持枠７の下部空間内あるいはローラ支持板８ａ、８ｂ間に、好ましくそれぞれ100mm間隔で複数個設置する。これは、形状が大きく重量も嵩む大型のコンクリート型枠Ｐを、上記の小型の上部・下部ユニットで支えるのに必要な数であり、施工環境によってその適数を決定して使用する。また、移動用ローラ９の径は、載置するコンクリート型枠の厚み（幅）等によって決定し、下部壁面ローラ10の径はφ40〜60mm程度とし、施工環境やコンクリート型枠のサイズ等によって適宜決定して使用する。
【００２１】
大型コンクリート型枠Ｐの下部に設置され、これを支える複数の下部ユニット３には、いずれか少なくとも一方の端面に、牽引用ロープ掛けループ金具１１を取付け、このループ金具１１にロープ等を掛けて牽引し、パネルＰを所定の位置まで移動させる。なお、本発明の移動用台車１は、上下部ユニット２、３に複数のローラを地面および縦壁に対して転動可能に設けているため、大型のコンクリート型枠を人力のような小さな力で牽引することができる。
【００２２】
次に、実際の使用方法について述べる。
大型コンクリート型枠組立用架台にて、予め複数のコンクリートパネルを、横バタ材や縦バタ材を介して、必要に応じてセパレータを組み込んで縦横に繋ぎ、例えば縦４メートル、横８メートル、幅０．５メートルの大型コンクリート型枠Ｐを形成する。これを現場にて組み立てるか、或いは工場にて組立ててもよいが、まず型枠Ｐの上端の左右両端に上部ユニット２を載置し、必要に応じて金属治具により固定する。次に、コンクリート型枠Ｐの下端を片方ずつジャッキアップして下部ユニット３を、コンクリート型枠Ｐの左右の端部に挿入し、その後、必要に応じて金属治具にて固定する。
【００２３】
続いて、複数の作業員で、下部ユニット３端部の牽引用ロープ掛けループ金具１１に掛けられた牽引用ロープを引っ張り、移動用ローラ９および上下部壁面ローラ６、１０を、地面あるいは隣接する壁面に転動させて、大型コンクリート型枠移動用台車１を型枠Ｐの設置位置まで移動させた後、上部ユニット２を外し、さらに大型コンクリート型枠Ｐの下端を、再度ジャッキアップして下部ユニット３を引抜いて降ろし、型枠Ｐを垂直に立てるようにして設置する。
【産業上の利用可能性】
【００２４】
本発明にかかる大型コンクリート型枠移動用台車はコンクリート建築物や土木構造物を構築するときに、大型コンクリート型枠を移動させるだけでなく、同種の他の大型〜小型板状体を移動させる際に利用することができる。
【図面の簡単な説明】
【００２５】
【図１】この発明に係る大型コンクリート型枠移動用台車の一実施形態を示す断面図である。
【図２】この発明に係る大型コンクリート型枠移動用台車の上部ユニットの一例を示し、（ａ）図１のＡ矢視図、（ｂ）平面図である。
【図３】この発明に係る大型コンクリート型枠移動用台車の下部ユニットの一例を示し、（ａ）図１のＢ矢視図、（ｂ）平面図である。
【符号の説明】
【００２６】
Ｐ  大型コンクリート型枠
１  大型コンクリート型枠移動台車
２  上部ユニット
３  下部ユニット
４  断面コ字形の取付け枠
５ａ、５ｂ  ローラ支持板
６  上部壁面ローラ
７  断面Ｈ形の保持枠
８ａ、８ｂ  ローラ支持板
９  移動用ローラ
１０  下部壁面ローラ
１１  牽引用ロープ掛けループ金具
【図１】
2007083935.tif 000003
【図２】
2007083935.tif 000004
【図３】
2007083935.tif 000005